(57)【要約】  【課題】蓋部を操作するなどの外力が、その蓋部に加わっていない場合には、常に、その蓋部が閉塞位置に位置付けられ、無用に配線コード類を挿通するための挿通口が開口することを防止して、家具としての外観を向上させ得るダクト閉塞用部材を提供する。  【解決手段】家具本体ＤＤに設けた配線コード類を収容可能な開口部Ｄ４Ｘ１を閉塞するためのものであって、起立壁１２を備えるとともに前記開口部Ｄ４Ｘ１と連通し前記配線コード類を挿通可能な挿通部１２Ｘを前記起立壁１２に形成した閉塞部本体１と、前記挿通部１２Ｘを閉塞する閉塞位置（Ｐ）と開成する開成位置（Ｑ）とに選択的に位置付け可能な蓋部２と、前記閉塞部本体１と前記蓋部２との間に介在し、前記蓋部２の重心位置（Ｇ）よりも上方においてその蓋部２を前記閉塞位置（Ｐ）と前記開成位置（Ｑ）との間で揺動可能に支持する蓋支持手段ＳＳ３とを具備し、前記蓋支持手段ＳＳ３を、前記重心位置よりも前記挿通部１２Ｘ側に備えるようにした。【選択図】図７
2005144047.tif 000002
【特許請求の範囲】
【請求項１】
家具本体に設けた配線コード類を収容可能な開口部を閉塞するためのものであって、
起立壁を備えるとともに前記開口部と連通し前記配線コード類を挿通可能な挿通部を前記起立壁に形成した閉塞部本体と、
前記挿通部を閉塞する閉塞位置と開成する開成位置とに選択的に位置付け可能な蓋部と、
前記閉塞部本体と前記蓋部との間に介在し、前記蓋部の重心位置よりも上方においてその蓋部を前記閉塞位置と前記開成位置との間で揺動可能に支持する蓋支持手段とを具備し、
前記蓋支持手段を、前記重心位置よりも前記挿通部側に備えていることを特徴とするダクト閉塞用部材。
【請求項２】
前記蓋部が、蓋主要素と、この蓋主要素に着脱可能な蓋補助要素とを具備していることを特徴とする請求項２記載のダクト閉塞用部材。
【請求項３】
前記蓋部が、互いに着脱可能に凹凸係合する係合要素と被係合要素とを備え、
前記係合要素と前記被係合要素とのうち、いずれか一方を蓋主要素に設け、他方を蓋補助要素に設けていることを特徴とする請求項２記載のダクト閉塞用部材。
【請求項４】
前記係合要素が、前記蓋主要素に貫通する貫通孔であり、
前記被係合要素が、前記蓋補助要素から突出する突部であることを特徴とする請求項４記載のダクト閉塞用部材。
【請求項５】
前記閉塞部本体が、前記蓋部に向けて突出する突出部を備え、
この突出部と前記貫通孔とが、前記開成位置にある蓋部をその開成位置で保持する保持手段を構成していることを特徴とする請求項４記載のダクト閉塞用部材。
【請求項６】
蓋部を、前記閉塞位置において、前記開成位置と反対の方向に移動することを規制する規制手段を備えていることを特徴とする請求項１乃至５いずれか記載のダクト閉塞用部材。
【請求項７】
前記規制手段が、互いに当接可能な、当接部と被当接部とを備えるものであって、
前記当接部および被当接部のうちいずれか一方を、前記蓋部に設け、他方を閉塞部本体に設けていることを特徴とする請求項６記載のダクト閉塞用部材。
【請求項８】
前記当接部と前記被当接部とが、前記起立壁の外向き面から内方にオフセットした位置で当接するように構成していることを特徴とする請求項７記載のダクト閉塞用部材。
【請求項９】
前記当接部が、前記閉塞部本体の前記起立壁の外向き面よりも内方にオフセットした位置に設けた当接面であり、
前記被当接部が、前記閉塞位置に位置付けられた蓋部の外向き面よりも内方にオフセットした位置に設けた被当接面であることを特徴とする請求項８記載のダクト閉塞用部材。
【請求項１０】
前記蓋支持手段が、係合部と、この係合部に枢支される被係合部とを備え、
前記係合部および被係合部のうち、いずれか一方を前記蓋部に設け、他方を閉塞部本体に設けていることを特徴とする請求項１乃至９いずれか記載のダクト閉塞用部材。
【請求項１１】
前記係合部が前記閉塞部本体に形成した係合穴であり、前記被係合部が前記蓋部から突出させた係合軸であり、
これら係合穴と係合軸とを着脱可能に構成していることを特徴とする請求項１０記載のダクト閉塞用部材。
【請求項１２】
請求項１乃至１１いずれか記載のダクト閉塞用部材と、前記ダクト閉塞用部材により閉塞される開口部を備えた家具本体とを具備することを特徴とする家具。
【発明の詳細な説明】
【技術分野】
【０００１】
本発明は、配線コード類を収容可能な開口部を閉塞するダクトカバーとともに用いられるダクト閉塞用部材、およびこのダクト閉塞用部材を適用され且つオフィス等で好適に利用される家具に関するものである。
【背景技術】
【０００２】
従来から、デスクの天板の後部に設けられた配線用ダクト上方の開口部にダクトカバーを適用し、その開口部を閉塞するようにしたものが知られている。そして、開口部の両端部側に、ダクトカバーと隣接してダクト閉塞用部材を配置することにより、開口部が、デスクの側端部側に露出することを防止して、家具としての外観が向上するようにしている。
【０００３】
具体的にこのダクト閉塞用部材は、水平片下面に設けた軸受け部に、蓋部に設けた回動軸を回動自在に取り付けるとともに、前記軸受け部の側方に設けた係合爪に蓋部に設けたカム部を噛み合い状態で取り付けることにより、このカム部の外周面と係合爪との噛み合いにより、蓋部でコード挿通口を閉止した状態（閉塞状態）およびコード挿通口を開放した状態（開成状態）、更には前記カム部の外周形状を適宜設定することにより、その中間の任意の位置で位置固定可能に構成されている（例えば特許文献１参照）。
【特許文献１】実開平５−８２３２５号公報（段落番号００１３、第９図〜第１１図）
【発明の開示】
【発明が解決しようとする課題】
【０００４】
ところが、上述のようなダクト閉塞用部材では、閉塞状態にある蓋部に不意の外力等が作用した場合、係合爪とカム部の噛合いが解除されると、係合爪の弾性力と係合爪及びカム部間の摩擦力とによりその蓋部が斜めになった状態のまま保持されてしまうといった課題を有している。また、これを閉塞状態に復元しようとしても、開口に指を挿し込んでこの蓋部を戻すことが困難なため、該ダクト閉塞用部材を、一旦、取り外して作業を行わなければならないといった不具合があった。特に、デスクを移動させる際や、デスクの掃除をする際等において、閉塞状態にある蓋部に不意の外力等が作用し、上述のような課題を生じさせることが多く、すなわち、家具としての外観上の課題や、作業上の課題を有するものであった。
【０００５】
本発明は、このような課題に着目してなされたものであって、主たる目的は、簡素な構成で蓋部に自閉作用を具備させ、積極的に開成状態に位置付けるような外力を作用させない状態では、蓋部がその自閉作用により閉塞位置に位置付けられ、無用に配線コード類を挿通するための挿通部が開口することを防止して、家具としての外観向上を維持させ得るダクト閉塞用部材を提供することにある。
【課題を解決するための手段】
【０００６】
すなわち、本発明のダクト閉塞用部材は、家具本体に設けた配線コード類を収容可能な開口部を閉塞するためのものであって、起立壁を備えるとともに前記開口部と連通し前記配線コード類を挿通可能な挿通部を前記起立壁に形成した閉塞部本体と、前記挿通部を閉塞する閉塞位置と開成する開成位置とに選択的に位置付け可能な蓋部と、前記閉塞部本体と前記蓋部との間に介在し、前記蓋部の重心位置よりも上方においてその蓋部を前記閉塞位置と前記開成位置との間で揺動可能に支持する蓋支持手段とを具備し、前記蓋支持手段を、前記重心位置よりも前記挿通部側に備えていることを特徴とする。
【０００７】
このようなものであれば、開成位置以外の場所において、蓋部に外力が加わっていなければ、蓋部が自重を利用した自閉作用により閉塞位置に位置付けられる。例えば、蓋部に外力が加わって、閉塞位置から開成位置側に押し込まれたとしても、蓋部は自重により閉塞位置に戻るので、すなわち、積極的に開成位置に位置付けない状態では、常に挿通部が閉塞される状態となるので、外観を維持することができる。
【０００８】
このように、配線コード類を挿通可能な挿通部が無用に開成したままとならず、家具としての質の高い外観を確保でき、且つ、蓋部の開成や閉塞といった作業も容易に行えるといった、高性能なダクト閉塞用部材を提供することができる。
【０００９】
なお、前記蓋部が、蓋主要素と、この蓋主要素に着脱可能な蓋補助要素とを具備しているものであれば、蓋主要素と蓋補助要素との重量バランスを容易に調整できるので、蓋部のスムーズな開閉動作を簡単に実現することができる。また、蓋主要素を家具本体と同一の合成樹脂により形成し、蓋補助要素を他の素材で形成することができる。すなわち、家具全体としての外観を保ちながらも蓋部の開閉動作の調整を簡単に行うことができる。さらに、蓋補助要素の素材を磁力の影響を受け得る素材で構成すれば、例えば、開成位置にある蓋部を磁力を利用して閉塞位置に位置付けることも可能となり、わざわざ該ダクト閉塞部材を家具本体から取り外して作業することも不必要になり使い勝手が格段に向上する。
【００１０】
前記蓋主要素と前記蓋補助要素とを係合させるための具体的な態様としては、前記蓋部が、互いに着脱可能に凹凸係合する係合要素と被係合要素とを備え、前記係合要素と前記被係合要素とのうち、いずれか一方を蓋主要素に設け、他方を蓋補助要素に設けているものが挙げられる。
【００１１】
加えて、前記係合要素と前記被係合要素との具体的態様としては、前記係合要素が、前記蓋主要素に貫通する貫通孔であり、前記被係合要素が、前記蓋補助要素から突出する突部であるものが挙げられる。
【００１２】
また、蓋部を開成位置で確実に位置付けることができ、部材を兼用してコストダウンを図れるようにするためには、前記閉塞部本体が、前記蓋部に向けて突出する突出部を備え、この突出部と前記貫通孔とが、前記開成位置にある蓋部をその開成位置で保持する保持手段を構成していることが好ましい。
【００１３】
また、蓋部が、例えばダクト閉塞用部材の起立壁から無用に飛び出てしまうことを防止して、家具としての外観を向上させるには、蓋部を、前記閉塞位置において、前記開成位置と反対の方向に移動することを規制する規制手段を備えていることが望ましい。
【００１４】
この規制手段の具体的態様としては、前記規制手段が、互いに当接可能な、当接部と被当接部とを備えるものであって、前記当接部および被当接部のうちいずれか一方を、前記蓋部に設け、他方を閉塞部本体に設けているものが挙げられる。
【００１５】
ところで、前記当接部と前記被当接部とが、前記起立壁の外向き面から内方にオフセットした位置で当接するように構成しているものであれば、当接部と被当接部とが当接する部位が、起立壁の外向き面から内方にオフセットされるので、指などを挟む恐れがなく安全性を高めることができる。
【００１６】
また、前記当接部と前記被当接部との具体的態様としては、前記当接部が、前記閉塞部本体の前記起立壁の外向き面よりも内方にオフセットした位置に設けた当接面であり、前記被当接部が、前記閉塞位置に位置付けられた蓋部の外向き面よりも内方にオフセットした位置に設けた被当接面であるように構成したものが挙げられる。このように、当接部と被当接部とを共に面で構成すれば、それらが多少ずれていても当接することができる。すなわち、閉塞位置において、蓋部が開成位置と反対方向に移動することを確実に規制できる。
【００１７】
また、蓋支持手段の具体的態様としては、前記蓋支持手段が、係合部と、この係合部に枢支される被係合部とを備え、前記係合部および被係合部のうち、いずれか一方を前記蓋部に設け、他方を閉塞部本体に設けているものが挙げられる。
【００１８】
閉塞部本体から蓋部を取り外すことができ、蓋部の交換を容易に行えるようにするためには、前記係合部が前記閉塞部本体に形成した係合穴であり、前記被係合部が前記蓋部から突出させた係合軸であり、これら係合穴と係合軸とを着脱可能に構成していることが望ましい。
【００１９】
以上のように構成されるダクト閉塞用部材と、前記ダクト閉塞用部材により閉塞される開口部を備えた家具本体とを具備する家具であれば、無用に挿通部が開口していることがないので、家具としての外観を向上させ価値を高めることができる。
【発明の効果】
【００２０】
以上に説明したように本発明のダクト閉塞用部材によれば、開成位置以外の場所において、蓋部に外力が加わっていなければ、蓋部が自閉作用により閉塞位置に位置付けられる。例えば、蓋部に外力が加わって、閉塞位置から開成位置側に押し込まれたとしても、蓋部は自重により閉塞位置に戻るので、すなわち、積極的に開成位置に位置付けない状態では、常に挿通部が閉塞される状態となるので、外観を維持することができる。
【００２１】
すなわち、配線コード類を挿通可能な挿通部が無用に開成したままとならず、家具としての質の高い外観を確保でき、且つ、蓋部の開成や閉塞といった作業も容易に行えるといった、高性能なダクト閉塞用部材を提供することができる。
【発明を実施するための最良の形態】
【００２２】
以下、本発明の一実施形態を、図面を参照して説明する。
【００２３】
本発明に係るダクト閉塞用部材たる端カバーＤ５は、図１に示すように、オフィス等において主として執務用に使用される家具たるデスクＤに、ダクトカバーＡとともに適用されるものである。
【００２４】
なお、本実施形態において、デスクＤの使用端側を前側、反使用端側を後側、と定義して説明を進める。また、該デスクＤを、前側から水平に見た方向を正面視、側方から水平に見た方向を側面視、上側から垂直に見下ろした方向を平面視とする。
【００２５】
このデスクＤは、平面視略矩形状の天板部Ｄ１、前記天板部Ｄ１の両側端部を支持する一対の脚部Ｄ２、および、前記脚部Ｄ２の後端側に設けた幕板Ｄ３を備えるとともに、配線コード類を収容するためのダクト部Ｄ４を前記天板部Ｄ１の反使用端側に形成した家具本体たるデスク本体ＤＤと、前記ダクト部Ｄ４の開口部Ｄ４Ｘ１を隠蔽するためのダクトカバーＡとを具備している。そして、本実施形態では、前記ダクトカバーＡに隣接配置され前記開口部Ｄ４Ｘ１の両端部を閉塞するためのダクト閉塞用部材たる端カバーＤ５と、この端カバーＤ５のさらに後端部側に、他のダクト閉塞用部材たるコーナーカバーＤ６を備えている。
【００２６】
なお、前記端カバーＤ５は、前記開口部Ｄ４Ｘ１の上方及び側方を主に閉塞するのに対し、前記コーナーカバーＤ６は、前記開口部Ｄ４Ｘ１の上方及び後方を主に閉塞するものであり、後述する端カバーＤ５の第２挿通部１４Ｘを介して、間接的に前記開口部Ｄ４Ｘ１を閉塞するようにしたものである。すなわち、本発明のダクト閉塞用部材には、開口部Ｄ４Ｘ１を直接的に閉塞するものと、間接的に閉塞するものとの２種類がある。
【００２７】
以下、各部の具体的構成について説明する。
【００２８】
天板部Ｄ１は、平滑な作業面を天面Ｄ１１０に備える天板本体Ｄ１１と、この天板本体Ｄ１１の下端側に使用端側に引き出し可能な引出（図示せず）とを備えてなる。
【００２９】
脚部Ｄ２は、前記天板本体Ｄ１１の両側端部後方側を支持し側面視略矩形状の脚本体Ｄ２１と、前記脚本体Ｄ２１の下端部に設けられ且つその脚本体Ｄ２１を支持する脚本体支持部Ｄ２２と、前記脚本体Ｄ２１の上端部前方に設けられ且つ前記天板本体Ｄ１１の両側端部前方側を支持する天板支持部Ｄ２３とを備えてなる。
【００３０】
なお、脚本体Ｄ２１の上端部後側には、後述するダクト部Ｄ４と連通する配線挿通用孔Ｄ２１ａを備えている。また、本実施形態では、この配線挿通用孔Ｄ２１ａには、上方に上向き略コ字状に開口する配線挿通部ＨＣ１を備えた保護カバーＨＣを装着して、前記配線挿通孔Ｄ２１ａの小口端面（図示せず）を覆っている。これにより、この配線挿通用孔Ｄ２１ａの小口端面で、挿通させた配線コード類が接触して破損等してしまうことを防止している。
【００３１】
幕板Ｄ３は、正面視横長の略矩形状をなす薄板状のものであって、前記脚部Ｄ２間に設けられてなる。
【００３２】
ダクト部Ｄ４は、図２に示すように、前側ダクト要素Ｄ４１と、後側ダクト要素Ｄ４２と、これら前側ダクト要素Ｄ４１および後側ダクト要素Ｄ４２の下方に位置する下側ダクト要素（図示せず）とを具備してなる。そして、これらダクト要素Ｄ４１、Ｄ４２等で囲まれた収容空間Ｄ４Ｘを備えるように構成するとともに、その収容空間Ｄ４Ｘの上部において、上方、側方及び後方に開口させた開口部Ｄ４Ｘ１を形成している。この開口部Ｄ４Ｘ１から配線コード類を前記収容空間Ｄ４Ｘに出し入れすることができる。
【００３３】
より具体的には、前側ダクト要素Ｄ４１は、前記天板本体Ｄ１１の後端部に設けられ、その幅方向である長手方向に各部等断面形状を有するものであって、本実施形態では合成樹脂で形成している。そして、この前側ダクト要素Ｄ４１には、載置したダクトカバーＡおよび端カバーＤ５を支持するための前側第１載置要素Ｄ４１１と前側第２載置要素Ｄ４１２とに加え、載置したダクトカバーＡおよび端カバーＤ５が抜け落ちること防止するための前側抜け落ち防止要素Ｄ４１３を備えている。また、前側第１載置要素Ｄ４１１と前側第２載置要素Ｄ４１２と前側抜け落ち防止要素Ｄ４１３とは、互いに平行をなすものである。また、前側第２載置要素Ｄ４１２と前側抜け落ち防止要素Ｄ４１３とは、平面視重合する位置に設けられるものである。
【００３４】
また、後側ダクト要素Ｄ４２は、前記幕板Ｄ３の上縁部に沿って設けられ、前記前側ダクト要素Ｄ４１と同様に、長手方向に各部等断面形状を有するものであって、本実施形態では合成樹脂で形成している。そして、この後側ダクト要素Ｄ４２には、載置したダクトカバーＡおよび端カバーＤ５を支持するための後側第１載置要素Ｄ４２１と、載置したダクトカバーＡおよび端カバーＤ５が抜け落ちること防止するための後側抜け落ち防止要素Ｄ４２２を備えている。また、後側第１載置要素Ｄ４２１と後側抜け落ち防止要素Ｄ４２２とは、互いに平行をなすものである。また、この後側第１載置要素Ｄ４２１と後側抜け落ち防止要素Ｄ４２２とは、平面視重合する位置に設けられるものである。
【００３５】
下側ダクト要素は、前記開口部Ｄ４Ｘ１から投入される配線を支持する支持片（図示せず）と、この支持片の前縁および後縁を略直角に起立させてなる前側片（図示せず）および後側片（図示せず）を具備してなる断面視略上向きコ字状のものである。
【００３６】
ダクトカバーＡは、図１、図２、図３などに示すように、前記天板部Ｄ１の反使用端縁と平行な方向に長手寸法を有する平面視略矩形状のものであって、ＡＢＳ樹脂などの硬質樹脂にて形成されるダクトカバー本体Ａ１と、このダクトカバー本体Ａ１に着脱可能に取り付けられ且つ主として軟質樹脂にて形成される補助カバーＡ２とを具備してなる。
【００３７】
そして、該ダクトカバーＡの下面側に形成される弾性取付部（図示せず）を利用して、すなわち、この弾性取付部の部材自体の弾性変形を利用して、前記両ダクト要素Ｄ４１、Ｄ４２に取り付け、前記開口部Ｄ４Ｘ１を上方から長手方向の側部を残し、略全域に亘って閉塞し得るように構成している。
【００３８】
端カバーＤ５は、図３、図４、図７等に示すように、前記天板部Ｄ１の反使用端縁の両側部に設けられ、前記ダクトカバーＡが取り付けられた状態で、残る上方及び側方に開口する開口部Ｄ４Ｘ１を閉塞し得る平面視略矩形状のものであって、閉塞部本体たる端カバー本体１と蓋部２とを具備してなる。
【００３９】
以下、各部を説明する。
【００４０】
端カバー本体１は、端カバー頂壁１１と、この端カバー頂壁１１の外側縁から垂下させた起立壁たる端カバー外側壁１２と、前記端カバー頂壁１１の内側縁から垂下させた端カバー内側片１３と、前記端カバー頂壁１１の下向き面における後端部から垂下する端カバー後側壁１４と、前記端カバー頂壁１１の下向き面における前端部から垂下する端カバー前側壁１５とを備えてなる。そして、これら各部をＡＢＳ樹脂などの硬質樹脂のインジェクション成型により、一体に形成している。
【００４１】
さらに各部を詳述する。
【００４２】
端カバー頂壁１１は、前記天板部Ｄ１の天面Ｄ１１０と略面一をなす略平滑な上向き面１１０を備えるものである。
【００４３】
端カバー外側壁１２は、側面視横長の略矩形状を有するものである。そして、前片１２１と、後片１２２と、これら前片１２１及び後片１２２の上端部を連結する上片１２３とを備えている。そして、これら前片１２１、後片１２２および上片１２３とで囲まれる空間、すなわち、該端カバー外側壁１２を下端縁から上方に向けて横長略矩形状に切り欠いた空間を、配線コード類を挿通可能な挿通部１２Ｘとして有している。なお、前片１２１の後端縁を、後述する端カバー前側壁１５と略一致させ、後片１２２の前端縁を、後述する端カバー後側壁１４と略一致させている。さらに、上片１２３を、その基端側から開口端縁１２３ａに向けて、その厚み寸法が漸次小さくなるように、すなわち薄肉となるように構成している。また、該端カバー外側壁１２の内向き面を、後述する被当接面２１１Ｚと当接可能な当接面１２ａとしている（図７参照。）。
【００４４】
端カバー内側片１３は、側面視横長の略矩形状を有するものである。そして、該端カバー本体１を側面視した際に、その下端縁１３１が、前記端カバー外側壁１２の上片１２３の開口端縁１２３ａと略重合するように構成している（図７参照）。
【００４５】
端カバー後側壁１４は、正面視横長の略矩形状を有するものである。そして、後側壁内側片１４１と、後側壁外側片１４２と、これら後側壁内側片１４１と後側壁外側片１４２の上端部を連結する後側壁上側片１４３とを備えている。そして、これら後側壁内側片１４１、後側壁外側片１４２および後側壁上側片１４３とで囲まれる空間、すなわち、該端カバー後側壁１４を下端縁から上方に向けて横長略矩形状に切り欠いた空間を、配線コード類を挿通可能な第２挿通部１４Ｘとして有している。なお、該端カバー後側壁１４の前向き面１４ａにおいて、前記後側壁内側片１４１の開口端側と、前記後側壁外側片１４２の開口端側には、前方に向けて突出する補強リブ１４ｍ、１４ｎを設けている。この補強リブ１４ｍ、１４ｎは、薄板状のものである。そして、この補強リブ１４ｍ、１４ｎの上端部を、前記端カバー頂壁１１の下向き面１１ａと接続させている。
【００４６】
加えて、該端カバー後側壁１４には、弾性係合部Ｂを、前記後側壁内側片１４１と前記後側壁外側片１４２に備えている。より具体的にこの弾性係合部Ｂは、側面視略三角形状を有するとともに正面視縦長の略矩形状を有する弾性係合爪Ｂ１と、この弾性係合爪Ｂ１の上縁および両側縁の周囲において該端カバー前側壁１５の厚み方向に貫通させた孔Ｂ２とから成るものである。すなわち、弾性係合爪Ｂ１の下縁Ｂ１１のみが該端カバー前側壁１５と連続し、孔Ｂ２内に位置付けられた弾性係合爪Ｂ１の先端Ｂ１２側が、該端カバー前側壁１５の厚み方向に進退し得るように構成されている。
【００４７】
さらに、該端カバー後側壁１４の後向き面（図示せず）から前記端カバー頂壁１１の下向き面にかけて形成した、前記ダクト部Ｄ４に取り付けるための取付要素Ｅを備えている（図７参照。）。この取付要素Ｅは、外側リブＥ１と内側リブＥ２とから成り、それら上端部間が平行をなし、下端部間が正面視略ハの字状を有するものである。また、この取付要素の後端縁が、前記端カバー頂壁１１の後端縁よりも前側に位置付けられるように構成している。
【００４８】
さらにまた、前記後側壁外側片１４２の上端部側略中央部には、該端カバー後側壁１４の厚み方向に貫通する矩形孔１４２Ｘを形成している。この矩形孔１４２Ｘは、正面視横長の略矩形状を有するものである。そして、該後側壁外側片１４２の前向き面１４２ａにおいて、前記矩形孔１４２Ｘの下端側には、前側に向けて突出する突出部１４２Ｚを備えている。
【００４９】
またさらに、前記後側壁外側片１４２の外側端側には、該端カバー後側壁１４の厚み方向に貫通する係合部たる係合穴１４２Ｙを形成している。
【００５０】
端カバー前側壁１５は、正面視横長の略矩形状を有するものである。そして、前記端カバー後壁の弾性係合部Ｂ、矩形孔１４２Ｘと、係合穴１４２Ｙと正面視重合する位置に、それぞれ同様の弾性係合部Ｂ、矩形孔１４２Ｘと、係合穴１４２Ｙを備えている。
【００５１】
加えて、該端カバー前側壁１５の前向き面１５ａには、その前向き面１５ａから突出させた平リブ１５ｍを備えている。具体的にこの平リブ１５ｍは、平面視横長の略矩形状を有するものである。なお、この平リブ１５ｍの先端縁を、前記端カバー頂壁１１の前端縁よりも後側に退避させた位置に位置付けるように構成している。また、この平リブ１５ｍおよび弾性係合部Ｂを、前記前側ダクト要素Ｄ４１や後側ダクト要素Ｄ４２に係合させて、該端カバーＤ５を開口部Ｄ４Ｘ１に取り付けるようにしている。
【００５２】
蓋部２は、図３、図４、図５、図６、図７等に示すように、蓋主要素たる蓋外カバー２１と蓋補助要素たる蓋内カバー２２とを備えるものである。そして、これら蓋外カバー２１と、蓋内カバー２２とを、それぞれ同一の合成樹脂素材を用いてインジェクション成型により別体にて形成している。
【００５３】
より具体的には、蓋外カバー２１は、扁平な略箱型形状を有するものであって、内側面を開口して後述する蓋内カバー２２を着脱可能にし得るように構成してなる。
【００５４】
さらに詳述すると、この蓋外カバー２１は、閉塞位置（Ｐ）において、前記起立壁の起立面と略面一になり且つ該蓋部２を開成位置（Ｑ）に位置付けるための操作力を受ける操作受け面２１１ａを備える蓋外カバー主壁２１１と、この蓋外カバー主壁２１１の周端から前記操作受け面２１１ａに対して略直角に起立させた上側周壁２１２および下側周壁２１３と、側端側周壁２１４とを具備してなる。
【００５５】
蓋外カバー主壁２１１は、両側端部２１１ｐから上端部２１１ｑにかけて、前記操作受け面２１１ａから内方へオフセットすべく退避させた退避面２１１Ｚを備えている。この退避面２１１Ｚが、前記端カバー外側壁１２の当接面１２ａと当接し得る被当接面２１１Ｚとして機能する。また、この蓋外カバー主壁２１１の内側には、下端側に薄肉部を形成するための蓋外カバー周壁段部２１１ｙを備えてなる。
【００５６】
上側周壁２１２は、側面視略部分円弧状を有するものである。
【００５７】
下側周壁２１３は、開口端側に薄肉部を形成するための下側周壁段部２１３ｙを、該下側周壁２１３の内側に備えてなる。
【００５８】
側端側周壁２１４は、前記閉塞位置（Ｐ）において、側面視縦長の略矩形状を有するものである。そして、その上端縁２１４ａを、部分円弧状を有している。また、この側端側周壁２１４には、厚み方向に貫通する略円形状の貫通孔２１４Ｘを備えている。さらに、該側端側周壁２１４の開口端側に薄肉部を形成するための側端側周壁段部２１４ｙを備えてなる。またさらに、該側端側周壁２１４の上端部の隅部には、係合軸２１４Ｋを備えている。この係合軸２１４Ｋは、略円柱状のものである。そして、該係合軸２１４Ｋの径を、前記係合穴１４２Ｙの径と略同一に構成している。そして、これら係合軸２１４Ｋと係合穴１４２Ｙとが蓋支持手段ＳＳ３を構成する。
【００５９】
蓋内カバー２２は、閉塞位置（Ｐ）において、側面視横長の略矩形状を有する薄板状のものである。
【００６０】
そして、該蓋内カバー２２の周端部には、その周端縁に向けて薄肉部を形成するための内カバー段部２２ａを備えている。
【００６１】
また、上端縁および下端縁の略中央部には、内側に向けた略コ字状に切り欠いた切り欠き部２２Ｘを備えている。
【００６２】
さらに、両側端面には、それぞれの端面から外方に突出する一対の突部２２Ｔを備えている。この突部２２Ｔは、前記蓋外カバー２１の貫通孔２１４Ｘに凹凸係合するものである。また、本実施形態では、この突部２２Ｔを側面視半円弧状に形成している。
【００６３】
コーナーカバーＤ６は、図１、図３に示すように、前記天板部Ｄ１の反使用端縁と平行な方向に長手寸法を有する平面視略矩形状のものであって、閉塞部本体たるコーナー部本体Ｄ６１と、このコーナー部本体Ｄ６１に形成した配線コード類を挿通可能な挿通部Ｄ６Ｘを閉塞するための蓋部Ｄ６２とを具備してなる。
【００６４】
なお、この蓋部Ｄ６２は、前記蓋部２と略同一の構成を有しており、また、コーナー部本体Ｄ６１に揺動可能に支持される構成も、前記蓋部２が前記端カバー本体１に支持される構成と略同様であるので、説明を省略する。
【００６５】
以上のように構成される端カバーＤ５について、蓋部２の使用方法を、以下説明する。
【００６６】
（１）蓋部２を開成位置（Ｑ）に位置付ける方法。
【００６７】
まず、閉塞位置（Ｐ）にある蓋部２は、その操作受け面２１１ａを外部に露出する状態にある。ここでこの操作受け面２１１ａに対して、開成位置（Ｑ）へと移動させる方向に外力を加えると、該蓋部２の係合軸２１４Ｋは、前記端カバー本体１の係合穴１４２Ｙに回動支持されているので、容易に、開成位置（Ｑ）に向かう方向へ回動を開始する。
【００６８】
そして、該蓋部２の貫通孔２１４Ｘと、前記端カバー本体１の突出部１４２Ｚとが当接する位置に位置付けられた際に、さらに外力を加えると、前記貫通孔２１４Ｘと前記突出部１４２Ｚとが凹凸係合して、すなわち、これら貫通孔２１４Ｘと突出部１４２Ｚとが保持手段ＳＳ１として機能して、該蓋部２を開成位置（Ｑ）に固定することができる。
【００６９】
しかして、挿通部１２Ｘが開成した状態となり、この挿通部１２Ｘに配線コード類を挿通することができる。
【００７０】
（２）蓋部２を閉塞位置（Ｐ）に位置付ける方法。
【００７１】
蓋部２が開成位置（Ｑ）にある際に、前記挿通部１２Ｘから例えば指を挿入し、蓋部２の下端部にその指を掛ける。そして、蓋部２の下端部を引き出すような外力を加えれば、前記貫通孔２１４Ｘと前記突出部１４２Ｚとの係合が解除され、蓋部２の係合軸２１４Ｋは、前記端カバー本体１の係合穴１４２Ｙを中心に回動可能な状態になる。
【００７２】
この状態で、指を離しても、蓋支持手段ＳＳ３が、該蓋部２の重心位置（Ｇ）よりも挿通部１２Ｘ側の上方で、その蓋部２を支持しているため、その自重によって閉塞位置（Ｐ）に向けて回動を続ける（図７参照。）。
【００７３】
そして、回動をしてきた蓋部２が、閉塞位置（Ｐ）に位置付けられると、当接面１２ａと被当接面２１１Ｚとが当接し、すなわち、規制手段ＳＳ２として機能して、該蓋部２が、閉塞位置（Ｐ）からさらに外側へ移動することを規制される。
【００７４】
このとき、回動してきた蓋部２が、当接によってバウンドし、開成位置（Ｑ）に向かう方向に跳ね返されたとしても、蓋部２は、その自重により、再び閉塞位置（Ｐ）に戻ってくる。
【００７５】
すなわち、蓋部２を閉塞位置（Ｐ）に確実に位置付けることができる。
【００７６】
なお、蓋部２が閉塞位置（Ｐ）に位置付けられている状態において、該蓋部２を前記開成位置（Ｑ）に向かわせる方向に外力が加わったと想定する。
【００７７】
このとき、蓋部２の係合軸２１４Ｋは、前記端カバー本体１の係合穴１４２Ｙに回動可能に支持されているので、その外力によって、一旦は、その開成位置（Ｑ）に向かう方向へ移動を始めるが、外力が解除されれば、蓋部２の自重により、自然と閉塞位置（Ｐ）に戻る。
【００７８】
このように、本実施形態に係るダクト閉塞用部材たる端カバーＤ５は、蓋部２が閉塞位置（Ｐ）に位置付けられている状態において、該蓋部２に対して、前記開成位置（Ｑ）に向かわせる方向に外力が加わった場合には、蓋部２の係合軸２１４Ｋが、前記端カバー本体１の係合穴１４２Ｙに回動可能に支持されているので、その外力によって、一旦は、その開成位置（Ｑ）に向かう方向へ移動を始めるが、蓋支持手段ＳＳ３が、該蓋部２の重心位置（Ｇ）よりも挿通部１２Ｘ側の上方で、その蓋部２を支持しているため、蓋部２は、その自重によって閉塞位置（Ｐ）に戻ってくる。
【００７９】
すなわち、配線コード類を挿通可能な挿通部１２Ｘが無用に開成したままとならず、デスクＤとしての質の高い外観を確保でき、且つ、蓋部２の開成やと閉塞といった作業も容易に行えるといった、高性能なダクト閉塞用部材たる端カバーＤ５を提供することができる。
【００８０】
なお、前記蓋部２が、蓋主要素たる蓋外カバー２１と、この蓋外カバー２１に着脱可能な蓋補助要素たる蓋内カバー２２とを具備しているので、蓋外カバー２１と蓋内カバー２２との重量バランスを容易に調整することができるとともに、蓋部２を薄く形成することができる。すなわち、開成位置（Ｑ）において、挿通部１２Ｘの開口を有効に確保できる。また、蓋部２のスムーズな開閉動作を簡単に実現することができる。また、蓋外カバー２１をダクトカバーＡなどと同一の合成樹脂により形成し、蓋内カバー２２を他の素材で形成することができるので、家具全体としての外観を保ちながらも蓋部２の自閉作用の調整を簡単に行うことができる。さらに、蓋内カバー２２の素材を磁力の影響を受け得る素材で構成すれば、例えば、開成位置（Ｑ）にある蓋部２を磁力を利用して閉塞位置（Ｐ）に位置付けることも可能となり、わざわざ該端カバーＤ５をデスク本体ＤＤから取り外して作業することも不必要になり使い勝手が格段に向上する。
【００８１】
また、端カバー本体１が、前記蓋部２に向けて突出する突出部１４２Ｚを備え、この突出部１４２Ｚと貫通孔２１４Ｘとが、前記開成位置（Ｑ）にある蓋部２をその開成位置（Ｑ）で保持する保持手段ＳＳ３を構成しているので、蓋部２を開成位置（Ｑ）で確実に位置付けることができ、また、部材の兼用化が図れてコストダウンを推進することができる。
【００８２】
蓋部２を、閉塞位置（Ｐ）において、開成位置（Ｑ）から飛び出る方向に移動することを規制する規制手段ＳＳ２を備えているので、蓋部２が、端カバー本体１から無用に飛び出てしまうことを防止して、家具としての外観を向上できる。
【００８３】
また、この規制手段ＳＳ２を、互いに当接可能な、当接面１２ａと被当接面２１Ｚとで構成し、且つ、それらが、端カバー外側壁１２の外向き面から内方にオフセットした位置で当接するように構成しているので、当接部分で指などを挟む恐れがなく安全性を高めることができる。加えて、面によって当接するようにしているので、それらが多少ずれていても当接させられる。すなわち、閉塞位置（Ｐ）において、蓋部２が、端カバー本体１から無用に飛び出すことを確実に規制できる。
【００８４】
さらに、蓋支持手段ＳＳ３を、互いに着脱可能な係合穴１４２Ｙと係合軸２１４Ｋとで構成しているので、端カバー本体１から蓋部２を簡単に取り外すことができ、蓋部２の交換を容易に行うことができる。
【００８５】
すなわち、配線コード類を挿通可能な挿通部１２Ｘが無用に開成したままとならず、家具としての質の高い外観を確保でき、且つ、蓋部２の開成や閉塞といった作業も容易に行えるといった、高性能な端カバーＤ５を実現することができる。
【００８６】
なお、本発明は、以上に詳述した実施形態に限られるものではない。
【００８７】
例えば、蓋外カバー２１と蓋内カバー２２とを、それぞれ合成樹脂により形成しているが、異なる素材で形成することもできる。
【００８８】
また、係合要素たる貫通孔２１４Ｘを蓋外カバー２１に備え、被係合要素たる突部２２Ｔを蓋内カバー２２に備えているが、この逆の構成としてもよい。そして、係合要素の構成も貫通孔に限られるものではなく、また、被係合要素の構成も突部に限られるものではない。
【００８９】
また、当接部を当接面１２ａで構成し、且つ被当接部を被当接面２１１Ｚで構成することにより、それぞれが面接触するようにしているが、点接触や線接触を採用するなど、当接方法は、これに限られるものではない。
【００９０】
また、係合部たる係合穴１４２Ｙを端カバー本体１に備え、被係合部たる係合軸２１４Ｋを蓋部２に備えているが、この逆の構成としてもよい。そして、係合部の構成も係合穴に限られるものでなく、また、被係合部の構成も係合軸に限られるものではない。
【００９１】
また、本実施形態における端カバーＤ５やダクトカバーＡは、天板部Ｄ１の反使用端側に備えるものとしているが、天板部Ｄ１の中央に備えたり脚部Ｄ２に備えたりするなど、実施態様に応じてその配置場所を適宜設定できる。
【００９２】
また、デスクＤの構成も本実施形態に限られるものではない。さらに、端カバーＤ５やダクトカバーＡを適用する家具は、デスクＤに限らず、配線コード類を収容可能な開口部を備えた家具一般に適用することもできる。
【００９３】
その他、各部の具体的構成についても上記実施形態に限られるものではなく、本発明の趣旨を逸脱しない範囲で種々変形が可能である。
【図面の簡単な説明】
【００９４】
【図１】本発明の一実施形態におけるダクト閉塞用部材たる端カバーを適用したデスクを示す全体斜視図。
【図２】同実施形態におけるダクト閉塞用部材たる端カバーやダクトカバーを取り付け得る開口部を示す図１のＫ−Ｋから見た斜視図。
【図３】同実施形態におけるダクト閉塞用部材たる端カバーの取付部分を示す斜視図。
【図４】同実施形態におけるダクト閉塞用部材たる端カバーの全体斜視図。
【図５】同実施形態における蓋主要素たる蓋外カバーを示す正面図および側面図。
【図６】同実施形態における蓋補助要素たる蓋内カバーを示す正面図および側端面図。
【図７】同実施形態におけるダクト閉塞用部材たる端カバーの構造断面図。
【符号の説明】
【００９５】
Ｄ・・・・・・家具（デスク）
Ｄ５・・・・・ダクト閉塞用部材（端カバー）
ＤＤ・・・・・家具本体（デスク本体）
Ｄ４Ｘ１・・・開口部
１・・・・・・閉塞部本体（端カバー本体）
２・・・・・・蓋部
１２・・・・・起立壁（端カバー外側壁）
１２ａ・・・・当接部（当接面）
１２Ｘ・・・・挿通部
２１・・・・・蓋主要素（蓋外カバー）
２２・・・・・蓋補助要素（蓋内カバー）
２２Ｔ・・・・被係合要素（突部）
２１１Ｚ・・・被当接部（被当接面）
２１４Ｋ・・・被係合部（係合軸）
２１４Ｘ・・・係合要素（貫通孔）
１４２Ｙ・・・係合部（係合穴）
１４２Ｚ・・・突出部
ＳＳ１・・・・保持手段
ＳＳ２・・・・規制手段
ＳＳ３・・・・蓋支持手段
（Ｇ）・・・・蓋部２の重心位置
（Ｐ）・・・・閉塞位置
（Ｑ）・・・・開成位置
【図１】
2005144047.tif 000003
【図２】
2005144047.tif 000004
【図３】
2005144047.tif 000005
【図４】
2005144047.tif 000006
【図５】
2005144047.tif 000007
【図６】
2005144047.tif 000008
【図７】
2005144047.tif 000009